(57)【要約】      （修正有）【課題】トイレを使用せずに直接尿を排泄し、排泄した尿を貯留する男性用尿貯留具を提供する。【解決手段】男性用尿貯留具１は、装着部１１、分離部１２、および貯留部１３を有し、前記装着部側の端部は開口し、前記貯留部側の端部は閉口しており、装着部および貯留部は分離部を介して接続し、前記分離部は逆流防止構造３１を含むことを特徴とする。これにより、コンパクトかつ安価で破れにくく、衛生面にも配慮した使い捨て可能な男性用尿貯留具を提供することができる。【選択図】図３
2017123999.tif 000002
【特許請求の範囲】
【請求項１】
装着部、分離部、および貯留部を有する筒状の尿貯留具であって、前記装着部側の端部は開口し、前記貯留部側の端部は閉口しており、装着部および貯留部は分離部を介して接続し、前記分離部は逆流防止構造を含む、尿貯留具。
【請求項２】
逆流防止構造が、くびれ構造および逆流防止弁の少なくとも１つである、請求項１に記載の尿貯留具。
【請求項３】
分離部がねじれ防止構造をさらに有する、請求項１または２に記載の尿貯留具。
【請求項４】
ねじれ防止構造が、筒状の分離部の内壁に接合したチューブから構成される、請求項３に記載の尿貯留具。
【請求項５】
少なくとも貯留部が弾性膜から形成される、請求項１〜４のいずれかに記載の尿貯留具。
【請求項６】
装着部の外側に取り付ける固定具をさらに有する、請求項１〜５のいずれかに記載の尿貯留具。
【請求項７】
固定具が、装着部の外側に巻き付けるバンドである、請求項６に記載の尿貯留具。
【請求項８】
装着部が面ファスナーを有する、請求項１〜７のいずれかに記載の尿貯留具。
【発明の詳細な説明】
【技術分野】
【０００１】
本発明は、男性の尿漏れに対応する尿貯留具に関し、特にトイレを使用せずに直接排泄し、排泄した尿を貯留することが可能な使い捨ての男性用尿貯留具に関する。
【背景技術】
【０００２】
世界的に人口の高齢化が進む中で、高齢者の尿漏れ対策の必要性が増している。また、障害や病気に起因する尿漏れ対策の必要性も存在する。このような状況の中でこれまで様々な製品が開発されてきており、その代表的な例はオムツである。例えば、特開２００３−５２７４６号には、表面シートと裏面シートの間に液保持性の吸収体を具備し、抗菌剤や消臭剤を含有する使い捨てオムツが開示されている。しかしながら、オムツは使用者に衛生面や触感面、精神面での不快感を抱かせることが懸念され、忌避される場合がある。そこで、尿道に管（カテーテル）を挿入して、管を通った先のタンクに尿を一時貯留する方法も確立されている。また、男性用として、カテーテルではなくコンドーム型の容器を陰茎に装着して、容器先端から管を通し、管の先のタンクに尿を一時貯留する方法も存在する。しかしながら、これらの方法には特別な設備や技能者が必要とされ、一定の投資費用もかかる。
【０００３】
また、特開２０１３−１３５７２７号には、吸収体に切り欠き部が形成され、略円錐状に成形して使用する尿漏れ防止用の吸収性物品が開示され、特開２０１４−１８０５２５号には、内側に補強膜層、外側に防水膜層、その間に高分子水分吸収剤を設けた袋状の尿取りパッドが開示されている。しかしながら、自力で立ち上がりトイレを使用することが困難な病床者や要介護者用の排尿を補助することを目的とした、トイレを使用せずに直接排泄し、排泄した尿をある程度の時間貯留することができる使い捨て可能な尿貯留具に対する需要が依然として存在する。
【先行技術文献】
【特許文献】
【０００４】
【特許文献１】特開２００３−５２７４６号公報
【特許文献２】特開２０１３−１３５７２７号公報
【特許文献３】特開２０１４−１８０５２５号公報
【発明の概要】
【発明が解決しようとする課題】
【０００５】
従って、本発明の目的は、トイレを使用せずに直接尿を排泄し、排泄した尿を貯留することができる、コンパクトかつ安価で破れにくく、衛生面にも配慮した使い捨て可能な男性用尿貯留具を提供することにある。
【課題を解決するための手段】
【０００６】
上記目的に鑑み鋭意研究した結果、本発明者等は、医療用具であるコンドームを原型とする、筒状の用具を男性使用者の陰茎に装着することにより上記目的を達成し得ることを見出し、本発明を完成させた。
【０００７】
すなわち、本発明の尿貯留具は、装着部、分離部、および貯留部を有する筒状の尿貯留具であり、前記装着部側の端部は開口し、前記貯留部側の端部は閉口しており、装着部および貯留部は分離部を介して接続し、分離部は逆流防止構造を含むことを特徴とする。
【０００８】
分離部の逆流防止構造は、例えばくびれ構造および逆流防止弁の少なくとも１つである。分離部がくびれ構造を有する場合、くびれ構造部分の内径は、装着部および貯留部の内径より小さい。分離部が逆流防止弁を有する場合、逆流防止弁は例えば弾性膜からなる。
【０００９】
本発明の尿貯留具の１つの形態では、分離部はさらにねじれ防止構造を有する。ねじれ防止構造は、例えば筒状の分離部の内壁に接合したチューブから構成される。
【００１０】
本発明の尿貯留具は、好ましくは少なくとも貯留部が弾性膜から構成される。本発明の尿貯留具の１つの形態では、装着部、分離部、および貯留部のすべてが弾性膜から形成される。貯留部の膜厚は装着部および分離部の膜厚より薄くてもよい。
【００１１】
本発明の尿貯留具の１つの形態では、尿貯留具は、使用中に尿貯留具が外れるのを防止するために、装着部の外側に取り付ける固定具をさらに有する。固定具は、例えば装着部の外側に巻き付けるベルトを有するバンドである。
【００１２】
また、本発明の尿貯留具の別の形態では、装着部は面ファスナーを有する。装着部の面ファスナーと使用者の胴体（衣類）に取り付けた面ファスナーを連結することにより、使用中に尿貯留具が外れるのを防止することができる。
【発明の効果】
【００１３】
本発明の尿貯留具は、コンドームで培われた技術を応用することができるため、コンパクトで、破れにくく、かつ安価な製品を提供することができる。また、形状、材質、厚さ等を適切に設計することにより、排泄した尿を安定に貯留し、かつ尿が使用者の陰茎部に触れるのを効果的に防止することができる。また、固定具を使用することにより尿貯留具が外れ、尿が漏れるのを効果的に防止することができる。
【図面の簡単な説明】
【００１４】
【図１】図１は本発明の第１の実施形態による尿貯留具の縦断面図であり、図１Ａは分離部がくびれ構造を有する尿貯留具を示し、図１Ｂは分離部がくびれ構造およびねじれ防止構造（樹脂チューブ）を有する尿貯留具を示す。
【図２】図２は分離部の外壁にねじれ防止構造を有する尿貯留具の例を示し、図２Ａは外壁に複数のリングが設けられた分離部部分の側面図であり、図２Ｂは図１の横断面図であり、図２Ｃは外壁に複数のストライプが設けられた分離部部分の側面図であり、図２Ｄは図２Ｃの横断面図である。
【図３】図３は本発明の第２の実施形態による尿貯留具の縦断面図であり、図３Ａはくびれ構造を有する分離部に逆流防止構造（逆流防止弁）を有する尿貯留具を示し、図３Ｂはくびれ構造の分離部にねじれ防止構造（樹脂チューブ）および逆流防止構造（逆流防止弁）を有する尿貯留具を示し、図３Ｃはくびれ構造の分離部にねじれ防止構造（樹脂チューブ）およびそれを延長してなる逆流防止構造を有する尿貯留具を示す。
【図４】図４は本発明の第３の実施形態による尿貯留具の縦断面図であり、図４Ａはくびれ構造がない分離部に逆流防止構造（逆流防止弁）を有する尿貯留具を示し、図４Ｂはくびれ構造がない分離部にねじれ防止構造（樹脂チューブ）および逆流防止構造（逆流防止弁）を有する尿貯留具を示す。
【図５】図５は固定具の１つの実施形態を示す斜視図である。
【発明を実施するための形態】
【００１５】
本明細書において、用語「筒状」は中空の管状であることを意味し、円筒形に限られず、円筒形構造の一部にくびれを有していてもよく、また膨らみを有していてもよい。用語「装着部」は使用者の陰茎に尿貯留具を装着する部分を意味し、陰茎を筒状構造に収容する部分である。用語「貯留部」は排泄した尿を貯留する部分を意味する。用語「分離部」は、逆流防止構造により装着部と貯留部を分離する部分を意味する。
【００１６】
本発明の尿貯留具は装着部、分離部、および貯留部を有し、装着部および貯留部は分離部を介して接続している。尿貯留具は筒状の形状を有し、その一方の端部（装着部側の端部）は開口し、他方の端部（貯留部側の端部）は閉口している。装着部の開口端部から使用者の陰茎挿入し、装着部内に陰茎を収容する。使用者が尿貯留具を装着した状態で排尿すると、尿は装着部から分離部を通って端部が閉口している貯留部に貯留される。分離部は逆流防止構造を有し、貯留部に貯留した尿が装着部へ逆流するのを防止する。分離部の逆流防止構造は、尿の逆流を効果的に抑制することができれば特に制限されず、例えば、くびれ構造、逆流防止弁等が挙げられる。
【００１７】
分離部がくびれ構造を有する場合、分離部の内径は装着部および貯留部の内径より小さい。分離部の内径は装着部および貯留部の内径の１０〜９０％であり、好ましくは３０〜８０％、より好ましくは４０〜７０％である。装着部の内径は一般に２０〜２５ｍｍ、２５〜３０ｍｍ、もしくは３０〜３５ｍｍが適切である。くびれ構造の分離部の内径は一般に３〜３２ｍｍ、例えば５〜１０ｍｍ、１０〜１５ｍｍ、１５〜２０ｍｍ、もしくは２０〜２５ｍｍである。尿の貯留部は一般に２０〜２５ｍｍ、２５〜３０ｍｍ、もしくは３０〜３５ｍｍが適切である。分離部は、例えばくびれ構造により、貯留部に貯留した尿が逆流するのを抑制する。特に、分離部が弾性膜により形成されている場合には、尿の貯留により分離部が伸び、分離部の内径がより狭まって逆流を抑制する効果が大きくなる。また、尿貯留具を取り外すときにくびれ部分をつまむことにより、尿をこぼすことなく、簡単にとり外すことができる。
【００１８】
分離部が逆流防止弁を有する場合、逆流防止弁は公知のものであってよい。例えば、筒状の弾性膜が分離部の内壁に設けられたものであってもよい。また、分離部の内径に適合するチューブの内部にボールを封入し、封入されたボールが逆流防止弁として機能するものでもよい。逆流防止弁はくびれ構造と併用することができる。くびれ構造および逆流防止弁以外の逆流防止構造としては、例えば分離部から貯留部へ伸びるチューブが挙げられる。細長いチューブが貯留部へ伸びることにより逆流を防止することができる。本発明に用いる逆流防止構造は貯留部の尿の逆流を防止することができるものであればよく、上記の例には限定されない。
【００１９】
本発明の尿貯留具は、分離部がねじれ防止構造をさらに有していてもよい。特に分離部が膜から構成される場合には、使用中に分離部の膜がねじれやすく、尿の通路を塞ぎやすくなるため、分離部にねじれ防止構造を有するのが好ましい。ねじれ防止構造は例えば、分離部に設けられたチューブである。筒状の分離部の内壁にチューブを取り付ける場合、チューブは外径が分離部の内径に適合したものを選択し、チューブの外側面と分離部の内壁を接合する。チューブを分離部に接合する方法は特に限定されず、接着剤による方法であっても、熱および／または圧力による融着であってもよい。チューブは分離部の外壁に接合してもよい。その場合、チューブはその内径が分離部の外径に適合したものを選択し、チューブの内側面と分離部の外壁を接合する。また、チューブを接合する代わりに分離部の膜厚を肉厚に形成してもよい。本発明に用いるねじれ防止構造はチューブに限られず、分離部の膜を補強できる構造であれば特に制限されない。
【００２０】
尿貯留具を構成する装着部、分離部、および貯留部は同じ材料で形成されても、それぞれ別の材料により形成されていてもよい。好ましくは尿貯留具の少なくとも貯留部は弾性膜から形成される。貯留部を弾性膜から形成することにより排尿したときに貯留部が拡張し、多量の尿を貯留することができる。装着部は、例えば紙、布、不織布、非弾性の樹脂膜等から形成されていてもよい。分離部は非弾性の樹脂膜、肉厚の樹脂チューブ等から形成されていてもよい。より好ましくは装着部、分離部、および貯留部のすべてが弾性膜から形成され、装着部、分離部、および貯留部が一体的に形成される。
【００２１】
尿貯留具の装着部、分離部、および貯留部の少なくとも１つが弾性膜から形成される場合、その主要な材料は天然ゴム、合成ゴム、もしくは高分子エラストマーである。主要な材料が合成ゴムである場合、例えばイソプレンゴム、スチレンブタジエンゴム、ブタジエンゴム、クロロプレンゴム、ブチルゴム、エチレンプロピレンゴム、ニトリルゴム、もしくはシリコーンゴムが挙げられる。主要な材料が高分子エラストマーである場合、例えばポリウレタン、塩化ビニル、ポリエチレン、ポリスチレン、ポリプロピレン、もしくはポリエステルが挙げられる。
【００２２】
尿貯留具の厚さは、一般に０．０１ｍｍ〜０．３ｍｍ、０．０８ｍｍ〜０．３ｍｍ、０．０８ｍｍ〜０．１２ｍｍ、０．１２ｍｍ〜０．１６ｍｍ、もしくは０．１６ｍｍ〜０．２０ｍｍが適切である。
【００２３】
逆流防止構造が弾性膜からなる逆流防止弁である場合、弾性膜の材料は尿貯留具の装着部、分離部、および貯留部に用いる弾性膜の材料と同じであってよい。逆流防止弁に用いる弾性膜の厚さは、排尿したときに弾性膜を押し広げて容易に通過できる厚さであればよい。逆流防止弁に用いる弾性膜の厚さは、上記の尿貯留具の厚さより薄くてもよい。
【００２４】
本発明の好ましい形態では、装着部、分離部、および貯留部のすべてが弾性膜から形成される。装着部、分離部、および貯留部を弾性膜から形成することにより、装着部での装着が容易になり、貯留部は尿量の貯留に従って拡張することができる。また、分離部は、くびれ構造である場合、尿の貯留により分離部が伸びて内径が狭まり、逆流防止効果を高めることができる。貯留部の膜厚を装着部および分離部の膜厚より薄くすることにより、貯留部の膜はより拡張しやすくなり、より多量の尿量を収容することができる。
【００２５】
本発明の尿貯留具の好ましい実施形態を図１を参照しながら説明する。図１Ａに示す尿貯留具１は、装着部１１、分離部１２、および貯留部１３を有し、装着部１１、分離部１２、および貯留部１３は弾性膜により一体的に形成されている。装着部１１および貯留部１３は分離部１２を介して接続しており、分離部１２はくびれ構造を有する。くびれた分離部１２の内径は装着部１１および貯留部１３の内径より小さい。また、この例では、使用中に尿貯留具が外れるのを防止するために、装着部１１の開口端部に弾性リングが形成されている。図１Ｂに示す尿貯留具１は、図１Ａに示す尿貯留具と同じ基本構造を有するが、分離部１２に円筒チューブ２１が設けられ、それによりねじれ防止構造を構成している。円筒チューブ２１の外側面は分離部１２の内壁と接合しており、使用中に分離部１２がねじれて、貯留部１３への尿の移行が妨げられるのを防止する。
【００２６】
図１Ｂに示す例では、円筒チューブ２１は分離部１２の内壁に設けられているが、円筒チューブ２１が分離部１２の外壁に設けられていてもよい。また、ねじれ防止構造は円筒チューブに限られない。図２は、分離部１２の外壁にねじれ防止構造が設けられた別の例を示す。図２Ａは外壁に複数の樹脂リングが設けられた分離部１２部分を示し、図２Ｂは図１の横断面図である。また、図２Ｃは外壁に複数の樹脂ストライプが設けられた分離部１２部分を示し、図２Ｄは図２Ｃの横断面図である。ねじれ防止構造は分離部を成形した後に取り付けてもよいし、分離部と一体的に成形してもよい。なお、図１Ｂ、図２Ａ、および図２Ｃでは、分離部１２がくびれ構造を有する場合について示しているが、くびれていない構造の分離部１２がねじれ防止構造を有していてもよい。
【００２７】
本発明の尿貯留具の別の好ましい実施形態を図３を参照しながら説明する。図３に示す例では、尿貯留具は装着部１１、分離部１２、および貯留部１３は弾性膜により一体的に形成されている。図３Ａはくびれ構造を有する分離部１２に逆流防止構造（逆流防止弁）３１を有する尿貯留具を示す。分離部１２には弾性膜から形成された筒状の逆流防止弁３１が設けられている。筒状の逆流防止弁３１の一方の端部は分離部１２に接続しており、他方の端部は貯留部１３側に延在している。筒状の逆流防止弁３１は先端が窄まっていてもよい。使用者が尿貯留具を装着した状態で排尿すると、尿は装着部１１から分離部１２へ流れ、さらに排尿の圧力により逆流防止弁３１が押し広げられて貯留部１３へ流れる。これに対し、尿が貯留部１３から装着部１１へ流れるときは、逆流防止弁３１は閉じているか、窄まった状態であり、貯留部１３から装着部１１への逆流を防止することができる。図３Ｂはねじれ防止構造と逆流防止構造が一体化された例を示す。くびれ構造の分離部１２はねじれ防止構造（樹脂チューブ）２１を有し、チューブ２１の貯留部１３側の端部に逆流防止弁３１を有する。逆流防止弁３１は筒状の弾性膜で形成されており、筒状の逆流防止弁３１は先端が窄まっていてもよい。図３Ａの尿貯留具と同様に装着部１１から貯留部１３へは尿が流れるが、貯留部１３から装着部１１への逆流は防止することができる。図３Ｃはねじれ防止構造と逆流防止構造が一体化された別の例を示す。分離部１２にねじれ防止構造（樹脂チューブ）２１が設けられ、そのチューブが貯留部１３側へ伸びて逆流防止構造３１を形成している。この場合も装着部１１から貯留部１３へは尿が流れるが、貯留部１３から装着部１１への逆流は防止することができる。
【００２８】
本発明のさらにべつの好ましい実施形態を図４に示す。図４Ａは装着部１１、分離部１２、および貯留部１３が弾性膜により形成されており、分離部１２はくびれ構造を有しない。分離部１２はその内壁に筒状の逆流防止弁３１を有し、筒状の逆流防止弁３１の一方の端部は分離部１２に接続しており、他方の端部は貯留部１３側に延在している。筒状の逆流防止弁３１は先端が窄まっていてもよい。使用者が尿貯留具を装着した状態で排尿すると、尿は装着部１１から分離部１２へ流れ、さらに排尿の圧力により逆流防止弁３１が押し広げられて貯留部１３へ流れる。これに対し、尿が貯留部１３から装着部１１へ流れるときは、逆流防止弁３１は閉じているか、窄まった状態であり、貯留部１３から装着部１１への逆流を防止することができる。図４Ｂに示す尿貯留具は、図４Ａに示す尿貯留具と基本構造が同じであり、分離部１２はくびれ構造を有しない。図４Ｂに示す例では、分離部１２はねじれ防止構造（樹脂チューブ）２１を有し、チューブ２１の貯留部１３側の端部に逆流防止弁３１が形成されている。逆流防止弁３１は筒状の弾性膜で形成されており、筒状の逆流防止弁３１は先端が窄まっていてもよい。図３Ａの尿貯留具と同様に装着部１１から貯留部１３へは尿が流れるが、貯留部１３から装着部１１への逆流は防止することができる。
【００２９】
本発明の尿貯留具のさらに別の形態は、装着部の外側に取り付ける固定具を有する。固定具は、尿貯留具が使用者の陰茎から外れないように尿貯留具を固定できるものであれば特に制限されない。固定具は、例えば円筒形状のバンドである。円筒バンドの外径は１０〜２０ｍｍ、２０〜３０ｍｍ、もしくは３０〜４０ｍｍが好ましい。円筒バンドの長さは５〜２０ｍｍ、２０〜３０ｍｍ、もしくは３０〜５０ｍｍが好ましい。円筒バンドの材質はある程度変形が容易で、かつ復元性に優れているものが好ましい。例えば、天然ゴム、合成ゴム、高分子エラストマー等の弾性材料を主要な材料とするのが好ましい。
【００３０】
円筒バンドの材料が合成ゴムである場合、イソプレンゴム、スチレンブタジエンゴム、ブタジエンゴム、クロロプレンゴム、ブチルゴム、エチレンプロピレンゴム、ニトリルゴム、もしくはシリコーンゴムが好ましい。円筒バンドの材料が高分子エラストマーである場合、ポリウレタン、塩化ビニル、ポリエチレン、ポリスチレン、ポリプロピレン、もしくはポリエステルが好ましい。
【００３１】
固定具はベルトを備えていてもよい。ベルトはその一部にマジックタイもしくはマジックベルトを有していてもよく、装着部と装着部に被覆した円筒バンド（長手方向に切断部を有していてもよい）を円筒バンドの外側からベルトを巻き付けて固定する。ベルトと円筒バンドは、陰茎を圧迫しすぎることがないように、適切な固さと寸法を設計することが望ましい。
【００３２】
ベルトの適切な幅は、５〜２０ｍｍ、２０〜３０ｍｍ、もしくは３０〜５０ｍｍである。ベルトの適切な長さは５０〜７０ｍｍ、７０〜９０ｍｍ、もしくは９０〜１１０ｍｍである。ベルトの適切な厚さは０．１〜０．２ｍｍ、０．２〜０．５ｍｍ、もしくは０．５〜３．０ｍｍである。ベルトの材質は伸縮性に富み、かつ陰茎と固定用チューブを圧迫し過ぎない弾性率を有するものが好ましい。
【００３３】
上記の固定具は、ベルトを円筒バンドの外側から巻き付けるタイプのものであるが、ベルトと円筒バンドを一体化したものであってもよい。図５は、ベルト４２の内側に弾性材料からなる被覆部（バンド）４１が設けられており、ベルト４２には結束部４３を有する。使用するときは、ベルト４２の被覆部４１側で尿貯留具の装着部を覆うようにして巻き付け、ベルトの結束部４３で固定する。被覆部は弾性材料からなり、弾性材料は上記の円筒バンドの材料と同じでよい。結束部は特に制限されず、面ファスナー、マジックタイ等を用いることができる。
【００３４】
本発明の尿貯留具は、装着部が面ファスナーを有していてもよい。例えば、使用者の胴体または着ている衣類にベルトを取り付け、ベルトの先端部に設けた面ファスナーを尿貯留具の装着部の面ファスナーに接続して、使用中に尿貯留具が外れないようにすることができる。
【００３５】
以上のとおり、本発明を実施形態により説明したが、上記の実施形態は本発明を説明するための例示であり、本発明はこれらの実施形態に限定されない。また、本発明の尿貯留具は、上に例示した各部の構成を任意に組み合わせた尿貯留具とすることができる。
【符号の説明】
【００３６】
１・・・尿貯留具
１１・・・装着部
１２・・・分離部
１３・・・貯留部
２１・・・ねじれ防止構造
３１・・・逆流防止構造
４１・・・被覆部
４２・・・ベルト
４３・・・結束部
【図１】
2017123999.tif 000003
【図２】
2017123999.tif 000004
【図３】
2017123999.tif 000005
【図４】
2017123999.tif 000006
【図５】
2017123999.tif 000007